【手続補正書】
【提出日】平成17年9月14日(2005.9.14)
【手続補正１】
【補正対象書類名】明細書
【補正対象項目名】発明の名称
【補正方法】変更
【補正の内容】
【発明の名称】シャフトレス印刷機及びシャフトレス印刷機の運転方法
【手続補正２】
【補正対象書類名】明細書
【補正対象項目名】特許請求の範囲
【補正方法】変更
【補正の内容】
【特許請求の範囲】
【請求項１】  版胴とともに一体回転する第１種インキローラ群と、該第１種インキローラ群とは独立して駆動される第２種インキローラと、該第１種インキローラ群及び該第２種インキローラをそれぞれ駆動する駆動手段と、選択される各運転モードに応じて該駆動手段を制御する制御手段とを備えるシャフトレス印刷機において、
前記制御手段は、
該運転モードのうち印刷モードの選択時には、前記第１種インキローラ群に追従するように前記第２種インキローラを駆動させ、
該印刷モードとは異なる特定運転モードの選択時には、該印刷モードとは異なる速度で前記第２種インキローラを駆動させる
ことを特徴とするシャフトレス印刷機。
【請求項２】  該特定運転モードは、印刷開始前に前記第１種インキローラ群にインキを供給してインキ分布を形成しておくインキ予備供給モード、ブランケット胴を洗浄するブラン洗浄モード、及び該洗浄に係る洗浄液を除去する洗浄液除去モードから選択される
ことを特徴とする請求項１記載のシャフトレス印刷機。
【請求項３】  前記制御手段は、
前記特定運転モードのうち洗浄液除去モードが選択された場合には、前記第２種インキローラの動作速度を前記第１種インキローラ群よりも低速で駆動させる
ことを特徴とする請求項２記載のシャフトレス印刷機。
【請求項４】  前記制御手段は、
前記特定運転モードのうちインキ予備供給モード、又はブラン洗浄モードが選択された場合には、前記第２種インキローラを前記第１種インキローラ群に追従させるとともに、第１種インキローラ群の駆動速度をウェブの走行速度よりも高速で駆動させる
ことを特徴とする請求項２又は３記載のシャフトレス印刷機。
【請求項５】  前記第２種インキローラが、前記第１種インキローラ群の上流に配置されるインキ元ローラであり、前記駆動手段は前記インキ元ローラを回転駆動する
ことを特徴とする請求項１〜４の何れかの項に記載のシャフトレス印刷機。
【請求項６】  前記第２種インキローラが、インキ元ローラと前記第１種インキローラ群との間に配設されたインキ呼出ローラであり、前記駆動手段は前記インキ元ローラと前記第１種インキローラ群との間で前記インキ呼出ローラを往復運動駆動する
ことを特徴とする請求項１〜４の何れかの項に記載のシャフトレス印刷機。
【請求項７】  前記第２種インキローラが、前記第１種インキローラ群内に配置されたインキ揺動ローラであり、前記駆動手段は前記インキ揺動ローラを軸方向に揺動駆動する
ことを特徴とする請求項１〜４の何れかの項に記載のシャフトレス印刷機。
【請求項８】  版胴とともに一体回転する第１種インキローラ群を含む印刷ユニットと、該印刷ユニットとは独立して駆動される第２種インキローラとをそれぞれ独立して駆動し、選択される運転モードに応じた速度パターンで第１種インキローラ群及び第２種インキローラを制御するシャフトレス印刷機の運転方法において、
前記運転モードのうち印刷モードの選択時には、前記第１種インキローラ群に追従するように前記第２種インキローラを駆動し、該印刷モードとは異なる特定運転モードの選択時には、該印刷モードとは異なる速度で前記第２種インキローラを駆動する
ことを特徴とするシャフトレス印刷機の運転方法。
【手続補正３】
【補正対象書類名】明細書
【補正対象項目名】０００１
【補正方法】変更
【補正の内容】
【０００１】
【発明の属する技術分野】
本発明は、印刷以外の複数の運転モードを有する印刷機に用いて好適のシャフトレス印刷機及びシャフトレス印刷機の運転方法に関する。
【手続補正４】
【補正対象書類名】明細書
【補正対象項目名】０００８
【補正方法】変更
【補正の内容】
【０００８】
本発明は、このような課題に鑑み創案されたものであり、運転状況に合せて各部の駆動速度を変更できるようにしたシャフトレス印刷機及びシャフトレス印刷機の運転方法を提供することを目的とする。
【手続補正５】
【補正対象書類名】明細書
【補正対象項目名】０００９
【補正方法】変更
【補正の内容】
【０００９】
【課題を解決するための手段】
上記目的を達成するために、本発明のシャフトレス印刷機は以下のように構成されている。
本発明のシャフトレス印刷機は、版胴とともに一体回転する第１種のインキローラ群と、前記第１種インキローラ群とは独立して駆動される第２種のインキローラとを印刷ユニットを構成するローラとして備えている。前記第２種インキローラは駆動手段によって前記第１種インキローラ群とは機械的に独立してそれぞれ駆動され、前記第１種インキローラ群は運転モード選択手段によりその運転モードを選択される。
また、選択される各運転モードに応じて該駆動手段を制御して、これらの各ローラの駆動速度を制御する制御手段を備えている。前記制御手段は、印刷モードの選択時には、前記第１種インキローラ群の回転速度を所定の速度追従関数で変換して得られる追従速度に前記第２種インキローラの駆動速度を設定する。つまり、前記制御手段は、前記第１種インキローラ群に追従するように前記第２種インキローラを駆動する。
一方、前記印刷モードとは異なる特定運転モードの選択時には、前記追従速度とは異なる前記特定運転モードに応じた速度に前記第２種インキローラの駆動速度を設定する。つまり、前記制御手段は、該印刷モードとは異なる速度で前記第２種インキローラを駆動する。
これにより、印刷時には前記第２種インキローラを前記第１種インキローラ群の回転速度に追従させて駆動しながらも、他の運転モードの選択時には、その運転モードに応じた速度で前記第２種インキローラを駆動することができる。
なお、該特定運転モードは、印刷開始前に前記第１種インキローラ群にインキを供給してインキ分布を形成しておくインキ予備供給モード、ブランケット胴を洗浄するブラン洗浄モード、及び該洗浄に係る洗浄液を除去する洗浄液除去モードから選択されることが好ましい。これにより、運転状況に合わせて印刷品質に関連する各部の駆動速度を適宜に変更することができる。
また、前記制御手段は、前記特定運転モードのうち洗浄液除去モードが選択された場合には、前記駆動手段を制御して、前記第２種インキローラの動作速度を前記第１種インキローラ群よりも低速で駆動することが好ましい。
また、前記制御手段は、前記特定運転モードのうちインキ予備供給モード、又はブラン洗浄モードが選択された場合には、前記第２種インキローラを前記第１種インキローラ群に追従させるとともに、第１種インキローラ群の駆動速度をウェブの走行速度よりも高速で駆動することが好ましい。
これにより、従来よりも高品質で安定した印刷が可能になる。
【手続補正６】
【補正対象書類名】明細書
【補正対象項目名】００１０
【補正方法】変更
【補正の内容】
【００１０】
前記制御手段による他の運転モードの選択時の制御方法としては、次の３つの方法が好ましい。
第１の制御方法は、前記制御手段に前記所定速度追従関数を含む複数の速度追従関数を記憶しておき、前記第１種インキローラ群の回転速度を前記特定運転モードに応じた速度追従関数で変換して得られる速度に前記第２種インキローラの駆動速度を設定することである。
【手続補正７】
【補正対象書類名】明細書
【補正対象項目名】００１１
【補正方法】変更
【補正の内容】
【００１１】
第２の制御方法は、印刷機の駆動系から得られる他の回転速度を前記所定速度追従関数で変換して得られる速度に前記第２種インキローラの駆動速度を設定することである。
そして、第３の制御方法は、前記特定運転モードに応じた所定の固定速度に前記第２種インキローラの駆動速度を設定することである。
【手続補正８】
【補正対象書類名】明細書
【補正対象項目名】００１２
【補正方法】変更
【補正の内容】
【００１２】
前記第２種インキローラとしては、具体的に、前記第１種インキローラ群の上流に配置されるインキ元ローラ、インキ元ローラと前記第１種インキローラ群との間に配設されたインキ呼出ローラ、前記第１種インキローラ群内に配置されたインキ揺動ローラが挙げられる。前記第２種インキローラがインキ元ローラの場合には、前記駆動手段は前記インキ元ローラを回転駆動するものであり、前記第２種インキローラがインキ呼出ローラの場合には、前記駆動手段は前記インキ元ローラと前記第１種インキローラ群との間で前記インキ呼出ローラを往復運動駆動するものとなる。また、前記第２種インキローラがインキ揺動ローラの場合には、前記駆動手段は前記インキ揺動ローラを軸方向に揺動駆動するものとなる。
また、本発明のシャフトレス印刷機の運転方法は、版胴とともに一体回転する第１種インキローラ群を含む印刷ユニットと、該印刷ユニットとは独立して駆動される第２種インキローラとをそれぞれ独立して駆動し、選択される運転モードに応じた速度パターンで第１種インキローラ群及び第２種インキローラを制御するシャフトレス印刷機の運転方法において、前記運転モードのうち印刷モードの選択時には、前記第１種インキローラ群に追従するように前記第２種インキローラを駆動し、該印刷モードとは異なる特定運転モードの選択時には、該印刷モードとは異なる速度で前記第２種インキローラを駆動することを特徴としている。
【手続補正９】
【補正対象書類名】明細書
【補正対象項目名】００３０
【補正方法】変更
【補正の内容】
【００３０】
【発明の効果】
以上詳述したように、本発明のシャフトレス印刷機及びシャフトレス印刷機の運転方法によれば、印刷時には、第１種インキローラ群とは異なる態様で動作する第２種インキローラを版胴とともに一体回転する第１種インキローラ群の回転速度に追従させて駆動しながらも、他の運転モードの選択時には、その運転モードに応じた速度で第２種インキローラを駆動するので、運転状況に合せた速度で各部を駆動することができる。